(57)【特許請求の範囲】
【請求項１】
ネットワークを介して接続された相手側端末との間で、少なくとも音声が相互に送受信される遠隔会議を実行する遠隔会議装置であって、
前記相手側端末から受信した音声を出力可能なスピーカと、
設置位置を調整可能な外付マイクと、
前記遠隔会議装置に内蔵されている内蔵マイクと、
前記スピーカから出力される音声の大きさを示す出力レベルを設定するレベル設定手段と、
前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、
前記レベル設定手段によって設定された前記出力レベルに応じて、音声を収音するのに使用される使用マイクを、前記外付マイクおよび前記内蔵マイクのいずれかに切り替えるマイク切替手段と、
前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、
前記位置特定手段によって特定された前記推奨位置を報知する位置報知手段と、
前記外付マイクの特性を検出する特性検出手段とを備え、
前記所定値は、前記外付マイクの特性に応じた複数の基準値を含み、
前記位置特定手段は、前記特性検出手段によって検出された前記外付マイクの特性に対応する前記基準値に基づいて、前記収音量が前記基準値以下になる前記推奨位置を特定することを特徴とする遠隔会議装置。
【請求項２】
前記特性検出手段は、前記外付マイクの特性が指向性マイクおよび無指向性マイクのいずれであるかを検出し、
前記位置特定手段は、前記特性検出手段によって前記指向性マイクであると検出された場合、前記収音量が第一基準値以下になる前記推奨位置を特定する一方、前記特性検出手段によって前記無指向性マイクであると検出された場合、前記収音量が前記第一基準値よりも小さい第二基準値以下になる前記推奨位置を特定することを特徴とする請求項１に記載の遠隔会議装置。
【請求項３】
前記特性検出手段によって前記指向性マイクであると検出された場合、前記外付マイクの推奨向きを報知する方向報知手段を備えたことを特徴とする請求項２に記載の遠隔会議装置。
【請求項４】
ネットワークを介して接続された相手側端末との間で、少なくとも音声が相互に送受信される遠隔会議を実行する遠隔会議装置であって、
前記相手側端末から受信した音声を出力可能なスピーカと、
設置位置を調整可能な外付マイクと、
前記遠隔会議装置に内蔵されている内蔵マイクと、
前記スピーカから出力される音声の大きさを示す出力レベルを設定するレベル設定手段と、
前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、
前記レベル設定手段によって設定された前記出力レベルに応じて、音声を収音するのに使用される使用マイクを、前記外付マイクおよび前記内蔵マイクのいずれかに切り替えるマイク切替手段と、
前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、
前記位置特定手段によって特定された前記推奨位置を報知する位置報知手段と、
前記スピーカの音声出力方向を撮影可能なカメラと、
前記カメラの撮影方向を調整する撮影方向調整手段とを備え、
前記撮影方向調整手段は、前記遠隔会議の進行時は、所定範囲を前記カメラに撮影させる一方、前記外付マイクの位置調整時は、前記所定範囲よりも前記推奨位置を中心寄りに含む特定範囲を前記カメラに撮影させるように、前記撮影方向を調整し、
前記位置報知手段は、前記外付マイクの位置調整時に、前記カメラが前記特定範囲を撮影した画像に前記推奨位置を重ねて表示した設置用画像を、表示装置に表示させることを特徴とする遠隔会議装置。
【請求項５】
ネットワークを介して接続された相手側端末との間で、少なくとも音声が相互に送受信される遠隔会議を実行する遠隔会議装置であって、
前記相手側端末から受信した音声を出力可能なスピーカと、
設置位置を調整可能な外付マイクと、
前記遠隔会議装置に内蔵されている内蔵マイクと、
前記スピーカから出力される音声の大きさを示す出力レベルを設定するレベル設定手段と、
前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、
前記レベル設定手段によって設定された前記出力レベルが所定の閾値以上である場合、音声を収音するのに使用される使用マイクを前記外付マイクとする一方、前記レベル設定手段によって設定された前記出力レベルが前記閾値未満である場合、前記使用マイクを前記内蔵マイクとするマイク切替手段と、
前記レベル設定手段によって設定された前記出力レベルが前記閾値以上である場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、
前記位置特定手段によって特定された前記推奨位置を報知する位置報知手段と
を備えたことを特徴とする遠隔会議装置。
【請求項６】
ネットワークを介して接続された相手側端末との間で、少なくとも音声が相互に送受信される遠隔会議を実行する遠隔会議装置であって、
前記相手側端末から受信した音声を出力可能なスピーカと、
設置位置を調整可能な外付マイクと、
前記遠隔会議装置に内蔵されている内蔵マイクと、
前記スピーカから出力される音声の大きさを示す出力レベルを設定するレベル設定手段と、
前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、
前記レベル設定手段によって設定された前記出力レベルに応じて、音声を収音するのに使用される使用マイクを、前記外付マイクおよび前記内蔵マイクのいずれかに切り替えるマイク切替手段と、
前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、
前記位置特定手段によって特定された前記推奨位置を報知する位置報知手段と、
前記レベル設定手段によって前記出力レベルが変更されたか否かを判断する変更判断手段とを備え、
前記位置特定手段は、前記変更判断手段によって前記出力レベルが変更されたと判断された場合に、前記推奨位置を特定することを特徴とする遠隔会議装置。
【発明の詳細な説明】
【技術分野】
【０００１】
本発明は、複数の拠点にそれぞれ設置されて、各拠点間でネットワークを介して実行される遠隔会議に用いられる遠隔会議装置に関する。
【背景技術】
【０００２】
従来、ユーザの画像や音声を入出力可能な遠隔会議装置を各拠点に設置し、各拠点のユーザの画像や音声が遠隔会議装置で合成出力される遠隔会議システムが知られている。このような遠隔会議システムにおいて、マイクの最適な位置を表示する技術が知られている（例えば、特許文献１参照）。
【先行技術文献】
【特許文献】
【０００３】
【特許文献１】特開２０１０−２７３２４４号公報
【発明の概要】
【発明が解決しようとする課題】
【０００４】
多くの遠隔会議装置は、マイクから取得される音声のエコーを低減するエコーキャンセル機能を備えている。このような遠隔会議装置では、エコーキャンセル機能を十分発揮可能な位置関係となるように、筐体内にマイクおよびスピーカが配置されている。しかしながら、エコーキャンセル機能を十分発揮させるには、スピーカから出力される音声がマイクによって取得されにくいように、スピーカおよびマイクの位置関係を考慮して製品設計を行う必要があった。そのため、遠隔会議装置の筺体が大きくなったり、製品デザインに制約が生じたりするおそれがあった。
【０００５】
特許文献１に開示の技術によれば、初期設定としてマイクの最適な設置位置を提示することができる。しかしながら、エコーキャンセル機能を十分発揮可能なスピーカおよびマイクの位置関係は、スピーカ音声とマイク感度とのバランスによって決定される。そのため、例えばマイクを最適位置に設置したのちにスピーカの出力レベルが大きくなった場合、マイクで収音される音声がエコーキャンセル機能を発揮可能な収音量を超えてしまい、遠隔会議中に出力される音声にエコーが含まれるおそれがあった。
【０００６】
本発明は、上述した課題を解決するためになされたものであり、エコーキャンセル機能を十分発揮させるために、スピーカの出力レベルに応じてマイクを最適な位置に調整可能な遠隔会議装置を提供することを目的とする。
【課題を解決するための手段】
【０００７】
本発明の一態様に係る遠隔会議装置は、ネットワークを介して接続された相手側端末との間で、少なくとも音声が相互に送受信される遠隔会議を実行する遠隔会議装置であって、前記相手側端末から受信した音声を出力可能なスピーカと、設置位置を調整可能な外付マイクと、前記遠隔会議装置に内蔵されている内蔵マイクと、前記スピーカから出力される音声の大きさを示す出力レベルを設定するレベル設定手段と、前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、前記レベル設定手段によって設定された前記出力レベルに応じて、音声を収音するのに使用される使用マイクを、前記外付マイクおよび前記内蔵マイクのいずれかに切り替えるマイク切替手段と、前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、前記位置特定手段によって特定された前記推奨位置を報知する位置報知手段と、前記外付マイクの特性を検出する特性検出手段とを備え、前記所定値は、前記外付マイクの特性に応じた複数の基準値を含み、前記位置特定手段は、前記特性検出手段によって検出された前記外付マイクの特性に対応する前記基準値に基づいて、前記収音量が前記基準値以下になる前記推奨位置を特定することを特徴とする。
【０００８】
これによれば、固定されたスピーカと、設置位置を調整可能な外付マイクと、内蔵されている内蔵マイクとを備えた遠隔会議装置において、内蔵マイク又は外付マイクで収音される音声からエコーを除去可能である。使用マイクが外付マイクである場合、スピーカから出力される音声の出力レベルが設定されると、その出力レベルに応じて特定された外付マイクの推奨位置が報知される。報知された推奨位置に外付マイクを設置することで、スピーカの音声がマイクで収音されるときの収音量が所定値以下になる。このとき、エコーの除去を行った後の音質が、所定基準内に確保される。したがって、エコーキャンセル機能を十分発揮させるために、スピーカの出力レベルに応じて外付マイクを最適な位置に調整することができる。また、外付マイクの収音量が基準値以下になる条件が外付マイクの特性に応じて異なる場合でも、外付マイクの特性を反映した最適な推奨位置に外付マイクを設置させることができる。
【００１０】
本発明の一態様に係る遠隔会議装置は、上記遠隔会議装置において、前記特性検出手段は、前記外付マイクの特性が指向性マイクおよび無指向性マイクのいずれであるかを検出し、前記位置特定手段は、前記特性検出手段によって前記指向性マイクであると検出された場合、前記収音量が第一基準値以下になる前記推奨位置を特定する一方、前記特性検出手段によって前記無指向性マイクであると検出された場合、前記収音量が前記第一基準値よりも小さい第二基準値以下になる前記推奨位置を特定してもよい。この場合、指向性マイクおよび無指向性マイクのそれぞれに応じた最適な推奨位置に外付マイクを設置させることができる。
【００１１】
上記遠隔会議装置において、前記特性検出手段によって前記指向性マイクであると検出された場合、前記外付マイクの推奨向きを報知する方向報知手段を備えてもよい。この場合、報知された推奨向きに外付マイクを設置することで、指向性マイクを正しい収音方向に向けることができる。
【００１２】
本発明の一態様に係る遠隔会議装置は、ネットワークを介して接続された相手側端末との間で、少なくとも音声が相互に送受信される遠隔会議を実行する遠隔会議装置であって、前記相手側端末から受信した音声を出力可能なスピーカと、設置位置を調整可能な外付マイクと、前記遠隔会議装置に内蔵されている内蔵マイクと、前記スピーカから出力される音声の大きさを示す出力レベルを設定するレベル設定手段と、前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、前記レベル設定手段によって設定された前記出力レベルに応じて、音声を収音するのに使用される使用マイクを、前記外付マイクおよび前記内蔵マイクのいずれかに切り替えるマイク切替手段と、前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、前記位置特定手段によって特定された前記推奨位置を報知する位置報知手段と、前記スピーカの音声出力方向を撮影可能なカメラと、前記カメラの撮影方向を調整する撮影方向調整手段とを備え、前記撮影方向調整手段は、前記遠隔会議の進行時は、所定範囲を前記カメラに撮影させる一方、前記外付マイクの位置調整時は、前記所定範囲よりも前記推奨位置を中心寄りに含む特定範囲を前記カメラに撮影させるように、前記撮影方向を調整し、前記位置報知手段は、前記外付マイクの位置調整時に、前記カメラが前記特定範囲を撮影した画像に前記推奨位置を重ねて表示した設置用画像を、表示装置に表示させることを特徴とする。
これによれば、固定されたスピーカと、設置位置を調整可能な外付マイクと、内蔵されている内蔵マイクとを備えた遠隔会議装置において、内蔵マイク又は外付マイクで収音される音声からエコーを除去可能である。使用マイクが外付マイクである場合、スピーカから出力される音声の出力レベルが設定されると、その出力レベルに応じて特定された外付マイクの推奨位置が報知される。報知された推奨位置に外付マイクを設置することで、スピーカの音声がマイクで収音されるときの収音量が所定値以下になる。このとき、エコーの除去を行った後の音質が、所定基準内に確保される。したがって、エコーキャンセル機能を十分発揮させるために、スピーカの出力レベルに応じて外付マイクを最適な位置に調整することができる。また、マイクの位置調整時には、推奨位置が表示範囲の中心寄りに重ねて表示された画像が、表示装置に表示される。したがって、外付マイクの位置調整時に推奨位置を確実に表示することができ、ユーザが外付マイクを推奨位置に設置する際の利便性を高めることができる。
【００１３】
本発明の一態様に係る遠隔会議装置は、ネットワークを介して接続された相手側端末との間で、少なくとも音声が相互に送受信される遠隔会議を実行する遠隔会議装置であって、前記相手側端末から受信した音声を出力可能なスピーカと、設置位置を調整可能な外付マイクと、前記遠隔会議装置に内蔵されている内蔵マイクと、前記スピーカから出力される音声の大きさを示す出力レベルを設定するレベル設定手段と、前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、前記レベル設定手段によって設定された前記出力レベルが所定の閾値以上である場合、音声を収音するのに使用される使用マイクを前記外付マイクとする一方、前記レベル設定手段によって設定された前記出力レベルが前記閾値未満である場合、前記使用マイクを前記内蔵マイクとするマイク切替手段と、前記レベル設定手段によって設定された前記出力レベルが前記閾値以上である場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、前記位置特定手段によって特定された前記推奨位置を報知する位置報知手段とを備えている。
これによれば、固定されたスピーカと、設置位置を調整可能な外付マイクと、内蔵されている内蔵マイクとを備えた遠隔会議装置において、内蔵マイク又は外付マイクで収音される音声からエコーを除去可能である。使用マイクが外付マイクである場合、スピーカから出力される音声の出力レベルが設定されると、その出力レベルに応じて特定された外付マイクの推奨位置が報知される。報知された推奨位置に外付マイクを設置することで、スピーカの音声がマイクで収音されるときの収音量が所定値以下になる。このとき、エコーの除去を行った後の音質が、所定基準内に確保される。したがって、エコーキャンセル機能を十分発揮させるために、スピーカの出力レベルに応じて外付マイクを最適な位置に調整することができる。また、例えば出力レベルが閾値未満である場合には、外付マイクの収音量が基準値を超える可能性が低いとみなして、推奨位置の特定および報知が省略される。つまり、外付マイクの収音量が基準値を超える可能性が高い状態であることを条件に推奨位置を特定することで、遠隔会議装置の処理負担を軽減することができる。
【００１４】
本発明の一態様に係る遠隔会議装置は、ネットワークを介して接続された相手側端末との間で、少なくとも音声が相互に送受信される遠隔会議を実行する遠隔会議装置であって、前記相手側端末から受信した音声を出力可能なスピーカと、設置位置を調整可能な外付マイクと、前記遠隔会議装置に内蔵されている内蔵マイクと、前記スピーカから出力される音声の大きさを示す出力レベルを設定するレベル設定手段と、前記内蔵マイク又は前記外付マイクで収音される音声からエコーを除去し、且つ、少なくとも前記スピーカから発せられる音声が前記内蔵マイク又は前記外付マイクで収音されるときの収音量が所定値以下である場合に、前記エコーの除去を行った後の音質を所定基準内に確保可能なエコーキャンセル手段と、前記レベル設定手段によって設定された前記出力レベルに応じて、音声を収音するのに使用される使用マイクを、前記外付マイクおよび前記内蔵マイクのいずれかに切り替えるマイク切替手段と、前記使用マイクが前記外付マイクである場合、前記レベル設定手段によって設定された前記出力レベルに応じて、前記スピーカから出力される音声が前記外付マイクで収音されるときの前記収音量が前記所定値以下になる前記外付マイクの位置である推奨位置を特定する位置特定手段と、前記位置特定手段によって特定された前記推奨位置を報知する位置報知手段と、前記レベル設定手段によって前記出力レベルが変更されたか否かを判断する変更判断手段とを備え、前記位置特定手段は、前記変更判断手段によって前記出力レベルが変更されたと判断された場合に、前記推奨位置を特定することを特徴とする。
これによれば、固定されたスピーカと、設置位置を調整可能な外付マイクと、内蔵されている内蔵マイクとを備えた遠隔会議装置において、内蔵マイク又は外付マイクで収音される音声からエコーを除去可能である。使用マイクが外付マイクである場合、スピーカから出力される音声の出力レベルが設定されると、その出力レベルに応じて特定された外付マイクの推奨位置が報知される。報知された推奨位置に外付マイクを設置することで、スピーカの音声がマイクで収音されるときの収音量が所定値以下になる。このとき、エコーの除去を行った後の音質が、所定基準内に確保される。したがって、エコーキャンセル機能を十分発揮させるために、スピーカの出力レベルに応じて外付マイクを最適な位置に調整することができる。また、例えばスピーカの出力レベルが変更されない場合には、外付マイクの収音量が基準値を超える可能性が低いとみなして、推奨位置の特定および報知が省略される。ひいては、外付マイクの収音量が基準値を超える可能性が高い状態であることを条件に推奨位置の特定および報知を実行することで、遠隔会議装置の処理負担を軽減することができる。
【図面の簡単な説明】
【００１５】
【図１】テレビ会議システム１の全体構成図である。
【図２】会議端末３の電気的構成を示すブロック図である。
【図３】会議端末３の会議環境を示す平面図である。
【図４】図３に示す会議環境を撮影した会議画面１００を例示する図である。
【図５】マイク位置調整テーブル２００のデータ構成を示す図である。
【図６】ボリューム調整処理を示すフローチャートである。
【図７】外付マイク用処理を示すフローチャートである。
【図８】マイク位置調整処理を示すフローチャートである。
【図９】マイク調整画面１１０を例示する図である。
【図１０】マイク調整画面１１０を例示する図である。
【図１１】変形例に係るマイク調整画面１１０を例示する図である。
【発明を実施するための形態】
【００１６】
本発明を具体化した実施の形態について、図面を参照して説明する。参照する図面は、本発明が採用しうる技術的特徴を説明するために用いられるものであり、単なる説明例である。
【００１７】
図１を参照して、テレビ会議システム１の構成について説明する。テレビ会議システム１では、複数の会議端末がネットワーク２を介して接続されている。テレビ会議システム１では、複数の会議端末によってネットワーク２を介して画像および音声が互いに送受信されることで、各会議端末が設置されている拠点間で公知のテレビ会議が実施される。
【００１８】
図１に示す例では、３台の会議端末３，４，５がネットワーク２に接続されているが、ネットワーク２に接続される会議端末の数量は限定されない。以下の説明では、会議端末３を中心に説明するが、他の会議端末４，５についても同様である。また、会議端末３が設置されている拠点を「自拠点」といい、他の会議端末４，５が設置されている拠点を「他拠点」という。
【００１９】
図２を参照して、会議端末３の電気的構成について説明する。図２に示すように、会議端末３は、制御を司るコントローラとしてのＣＰＵ９を備えている。ＣＰＵ９には、ＲＯＭ３１２、ＲＡＭ３１３、ハードディスクドライブ３１４（以下、ＨＤＤ３１４という。）、通信インターフェイス３１５（以下、通信Ｉ／Ｆ３１５という。）、入力部３１６、映像デコーダ３２０、映像エンコーダ３４５、音声エンコーダ３４６、音声デコーダ３４９、電源制御部３５３、およびモータ制御部３７１が、各々接続されている。
【００２０】
ＲＯＭ３１２には、ＣＰＵ９にテレビ会議を実行させるプログラムや、テレビ会議に必要な制御データが記憶されている。本実施形態では、ＣＰＵ９に後述のボリューム調整処理（図６参照）を実行させるプログラムや、後述のマイク位置調整テーブル２００（図５参照）も、あらかじめＲＯＭ３１２に記憶されている。ＨＤＤ３１４には、テレビ会議の実行時に、自拠点で取得される音声や画像のデータ、および他拠点から取得された音声や画像のデータが記憶されている。電源制御部３５３は、接続されているＡＣアダプタ（図示外）の電力を、ＣＰＵ９やその他の各種デバイスに供給して駆動させる。
【００２１】
通信Ｉ／Ｆ３１５は、ネットワーク２を介したデータ通信を行うためのインターフェイスである。入力部３１６は、ユーザが各種の入力指示を行う操作部であり、例えばマウス、キーボード、タッチパネルなどである。映像デコーダ３２０は、ネットワーク２を介して他の会議端末４，５から受信された画像データを復号化して、ディスプレイ３１９に表示する。これによって、自拠点のユーザは、テレビ会議の画像（つまり、他拠点に存在するユーザの画像）を見ることができる。
【００２２】
映像エンコーダ３４５は、カメラ３４４に接続されている。映像エンコーダ３４５は、カメラ３４４によって撮像される画像を符号化して、画像データを作成する。つまり、カメラ３４４で撮像された自拠点の画像データが、映像エンコーダ３４５によって作成される。映像エンコーダ３４５によって作成された画像データは、ネットワーク２を介して他の会議端末４，５に送信される。
【００２３】
本実施形態のカメラ３４４は、図示しない水平軸を中心に回転自在である。モータ制御部３７１は、カメラ３４４を水平軸周りに回転させるチルトモータ３７２に接続されている。モータ制御部３７１は、チルトモータ３７２の駆動制御を行って、カメラ３４４を水平軸周りに回転させることで、カメラ３４４の撮影方向を調整可能である。なお、テレビ会議の実行時には、カメラ３４４の撮影方向が自拠点全体を適正に映し出せる水平方向となるように、カメラ３４４の撮影角度が調整される。このときのカメラ３４４の撮影角度を、会議用角度という。
【００２４】
音声エンコーダ３４６および音声デコーダ３４９は、それぞれエコーキャンセラ３４７に接続されている。エコーキャンセラ３４７は、エコーやハウリングの発生を防止する回路である。エコーキャンセラ３４７には、スピーカ３５０、内蔵マイク３６０、および外付マイクインターフェイス３５８（以下、外付マイクＩ／Ｆ３５８という。）が、各々接続されている。スピーカ３５０は、他拠点の音声（例えば、テレビ会議時に他拠点に存在するユーザの音声）を出力する。内蔵マイク３６０は、自拠点の音声（詳細には、テレビ会議時に自拠点に存在するユーザの音声）を収音する。
【００２５】
外付マイクＩ／Ｆ３５８は、設置位置を調整可能な外付マイク３７０と有線または無線で接続されて、外付マイク３７０で収音された自拠点の音声（詳細には、テレビ会議時に自拠点に存在するユーザの音声）を取得する。本実施形態では、外付マイクＩ／Ｆ３５８に外付マイク３７０が接続されていない場合、内蔵マイク３６０で収音される。外付マイクＩ／Ｆ３５８に外付マイク３７０が接続されている場合、内蔵マイク３６０および外付マイク３７０のいずれかで収音可能である。
【００２６】
音声エンコーダ３４６は、内蔵マイク３６０、または無線マイクＩ／Ｆ３６８を介して取得された音声（つまり、外付マイク３７０で収集された音声）を符号化して、音声データを作成する。音声エンコーダ３４６によって作成された音声データは、ネットワーク２を介して他の会議端末４，５に送信される。音声デコーダ３４９は、ネットワーク２を介して他の会議端末４，５から受信された音声データを復号化して、スピーカ３５０から音声として出力させる。これによって、自拠点のユーザは、テレビ会議の音声（つまり、他拠点に存在するユーザの音声）を聞くことができる。
【００２７】
図３および図４を参照して、テレビ会議システム１における各拠点の会議環境の一例について説明する。以下の説明では、図３における下方向および上方向を、会議テーブルＴの前側および後側とする。図３および図４に示す会議環境では、会議端末３が設置されている自拠点で、５人のユーザがテレビ会議に参加している。より具体的には、会議テーブルＴの前端側に会議端末３が設置されて、会議端末３よりも後側に５人のユーザが会議テーブルＴを囲んで着席している。
【００２８】
図３および図４に示すように、会議端末３は、自拠点全体の画像及び音声をバランスよく取得するために、会議テーブルＴの前端側の中央部に設置されている。カメラ３４４は、会議端末３の上面側に設置されて、会議端末３の前方を撮影可能である。図示しないが、内蔵マイク３６０（図２参照）は、会議端末３の前面側に配置されて、会議端末３の前方から収音可能な指向性マイクである。スピーカ３５０は、会議端末３の前面側に配置されて、会議端末３の前方に音声を出力可能な音源である。本実施形態では、カメラ３４４、スピーカ３５０、および内蔵マイク３６０は、いずれも会議テーブルＴの前端側から後側に向けられている。
【００２９】
以下の説明では、スピーカ３５０から出力される音声の増幅率（所定の音声を出力するときの音量の大きさ）を、スピーカ３５０の出力レベル（いわゆる、ボリューム）という。スピーカ３５０の音声が内蔵マイク３６０で収音されるときの収音量は、スピーカ３５０の出力レベルや、内蔵マイク３６０とスピーカ３５０との位置関係等によって変化する。スピーカ３５０の音声がマイク（内蔵マイク３６０または外付マイク３７０）で収音されるときに、マイクの収音量が処理基準値以下となるスピーカ３５０の最大出力レベルを、「規定レベル」という。「処理基準値」は、エコーキャンセラ３４７（図２参照）でエコーの除去を行った後の音質を、良好と判断される所定基準内（例えば、一般的な人間の聴覚でエコーが認識されない範囲内）に確保可能なマイクの最大収音量である。
【００３０】
会議端末３は、背後に設置された大型のディスプレイ３１９に接続されている。ディスプレイ３１９も、カメラ３４４および内蔵マイク３６０と同様に、会議テーブルＴの前端側から後側に向けられている。さらに、図３および図４に示す例では、会議端末３に外付マイク３７０が有線接続されて、会議テーブルＴの略中央部に設置されている。
【００３１】
このような会議環境のもと、テレビ会議の実行時には、他拠点の画像がディスプレイ３１９に表示され、かつ他拠点の音声がスピーカ３５０から出力される。そのため、自拠点のユーザＡ〜Ｅが会議テーブルＴの前端側を向いた状態で、テレビ会議が進行する。このとき、ユーザＡ〜Ｅの表情が、カメラ３４４の正面側から撮影されて、他拠点で表示される。同時に、ユーザＡ〜Ｅの声が、内蔵マイク３６０または外付マイク３７０で収音されて、他拠点で出力される。これにより、相手方の拠点に存在するユーザの画像および音声を確実に認識できるため、自拠点および他拠点の間でテレビ会議がスムーズに進行する。図４は、カメラ３４４で撮影された自拠点の画像データであって、他拠点（会議端末４，５）で表示される会議画面１００を例示している。
【００３２】
ただし、スピーカ３５０の出力レベルが規定レベルを超える場合、内蔵マイク３６０の収音量が処理基準値を超えてしまうおそれがある。この場合、エコーキャンセラ３４７（図２参照）で十分なエコー除去を実行できず、エコーの除去後の音質が所定基準を超えてしまい、一般的な人間の聴覚でエコーが認識される程度に音質劣化が生じるおそれがある。一方、内蔵マイク３６０に代えて外付マイク３７０を使用する場合は、スピーカ３５０の出力レベルが規定レベルを超えた場合でも、外付マイク３７０の位置を調整することで、外付マイク３７０の収音量を処理基準値以下にすることができる。
【００３３】
図５を参照して、ＲＯＭ３１２に記憶されているマイク位置調整テーブル２００について説明する。マイク位置調整テーブル２００は、スピーカ３５０の出力レベルと、外付マイク３７０の推奨距離との関係を定義するテーブルである。マイク位置調整テーブル２００には、用途、ＬＥＶＥＬ、ｄＢ、無指向性マイク推奨距離、および指向性マイク推奨距離が、データ項目として設定されている。
【００３４】
ＬＥＶＥＬは、スピーカ３５０の出力レベルを示し、小さい方から「０」〜「１１」の１２段階で設定されている。ｄＢは、スピーカ３５０から出力された音声が、スピーカ３５０から０．５メートル離れた基準位置で収音されるときの音量（単位：デシベル）を、出力レベル毎に示す。用途は、各出力レベルが「通常領域」および「ブースト領域」のいずれに対応するかを示す。「通常領域」は、スピーカ３５０から発せられる音声が内蔵マイク３６０で収音されるときの収音量が、処理基準値以下になると推定される出力レベルを示す。「ブースト領域」は、スピーカ３５０から発せられる音声が内蔵マイク３６０で収音されるときの収音量が、処理基準値を超えると推定される出力レベルを示す。
【００３５】
本実施形態では、先述の規定レベルが出力レベル「８」（８０デシベル）であるため、出力レベル「０」〜「８」の範囲は用途「通常領域」が設定され、出力レベル「９」〜「１１」の範囲は用途「ブースト領域」が設定されている。「通常領域」に対応する音声の出力レベルでは、内蔵マイク３６０で収音してもエコーを十分に除去できるため（つまり、音質劣化が生じにくいため）、内蔵マイク３６０を使用してテレビ会議を行うことが推奨される。「ブースト領域」に対応する音声の出力レベルでは、内蔵マイク３６０で収音するとエコーを十分に除去できないため（つまり、音質劣化が生じやすいため）、外付マイク３７０を使用してテレビ会議を行うことが推奨される。
【００３６】
マイク位置調整テーブル２００には、「ブースト領域」に対応する出力レベル毎に、外付マイク３７０の推奨されるスピーカ３５０からの距離（推奨距離）が定義されている。「推奨距離」は、スピーカ３５０の音声が外付マイク３７０で収音されるときの収音量が処理基準値以下になると推定される、スピーカ３５０から外付マイク３７０までの最短距離を示す。さらに、推奨距離は、外付マイク３７０の特性に応じた値が定義されている。具体的には、スピーカ３５０の音声の影響を受けやすい特性を有するものは、スピーカ３５０の音声の影響を受けにくい特性を有するものよりも、推奨距離に大きな値が定義されている。
【００３７】
本実施形態では、外付マイク３７０の特性が無指向性マイクおよび指向性マイクのいずれであるかに応じて、出力レベル毎にそれぞれ異なる推奨距離が「無指向性マイク推奨距離」および「指向性マイク推奨距離」として定義されている。一般に、指向性マイクは、音源（例えば、自拠点のユーザ）に向けて適正に配置されていれば、無指向性マイクと比較して他の音源（例えば、スピーカ３５０）から発せられる音声を収音しにくい。したがって、出力レベルが同一である場合、「無指向性マイク推奨距離」には「指向性マイク推奨距離」よりも大きな値が設定されている。
【００３８】
なお、マイク位置調整テーブル２００は、次のような実験または計算によって定義すればよい。本実施形態では、エコーキャンセラ３４７の処理基準値が９０デシベルに規定されている。つまり、エコーキャンセラ３４７は、収音量が９０デシベル以下である場合に、音声からエコーを十分に除去して良好な音質を確保できる。そこで、スピーカ３５０から各レベル「０」〜「１１」の音声を出力し、外付マイク３７０の収音量が９０デシベル以下となる推奨距離を、実験または計算で特定する。
【００３９】
ただし、外付マイク３７０が指向性マイクである場合、その収音方向が音源（つまり、スピーカ３５０）と正反対（−１８０°）に向けられた状態では、外付マイク３７０が無指向性マイクである場合と比べて、音源から発せられた音声の収音量が減衰することが知られている。つまり、指向性マイクと無指向性マイクとでは、収音量が処理基準値以下となるときのスピーカ３５０の出力レベル（ひいては、推奨距離）が異なる。
【００４０】
そこで、本実施形態では、収音方向が音源と正反対に向けられた状態で、同一位置の無指向性マイクと比べて音声の収音量が１５デシベル減衰する指向性マイクが、外付マイク３７０として使用されることを想定する。そして、外付マイク３７０として無指向性マイクを使用した場合と、外付マイク３７０として指向性マイクを使用した場合との両方について、収音量が９０デシベル以下となる推奨距離をそれぞれ特定する。
【００４１】
具体的に、外付マイク３７０の推奨距離を実験で特定する場合は、外付マイク３７０が指向性マイクおよび無指向性マイクのいずれであるかに拘わらず、スピーカ３５０からの距離が変化するように外付マイク３７０の位置調整を適宜行いながら、スピーカ３５０から各出力レベルで音声を出力する。これにより、外付マイク３７０の収音量が９０デシベル以下となる最短距離を、出力レベル毎に特定すればよい。
【００４２】
一方、外付マイク３７０の推奨距離を計算で特定する場合は、公知の減衰量計算式（減衰量＝２０ｌｏｇ（音源から収音位置までの距離／音源から基準位置までの距離））によって、スピーカ３５０から外付マイク３７０までの距離を適宜変化させつつ、その距離毎の減衰量を求める。この計算式では、音源がスピーカ３５０に相当し、外付マイク３７０が収音位置に相当し、音源から基準位置までの距離は「０．５ｍ」である。これにより、外付マイク３７０が無指向性マイクである場合は、スピーカ３５０から発せられた音声の出力レベルから距離別の減衰量を減算した値が９０デシベル以下となる最短距離を特定すればよい。外付マイク３７０が指向性マイクである場合は、スピーカ３５０から発せられた音声の出力レベルから距離別の減衰量を減算した値が１０５デシベル以下となる最短距離を特定すればよい。
【００４３】
図６〜図１０を参照して、会議端末３で実行されるボリューム調整処理について説明する。本処理は、テレビ会議システム１でテレビ会議が実行されている間、ＲＯＭ３１２に記憶されているプログラムに基づいてＣＰＵ９によって実行される。本処理は、ユーザが入力部３１６を操作してボリューム調整コマンドを入力した場合に開始される。
【００４４】
なお、本実施形態では、会議端末３の電源投入時には、スピーカ３５０の出力レベルとしてデフォルト値（例えば、出力レベル「５」）が、ＲＡＭ３１３に自動設定される。テレビ会議の実行中は、ＲＡＭ３１３に設定されている出力レベルで、スピーカ３５０から他拠点の音声が出力される。
【００４５】
図６に示すように、ボリューム調整処理では、まず外付マイク３７０の使用状況確認が実行される（Ｓ１）。具体的に、ステップＳ１では、外付マイクＩ／Ｆ３５８に外付マイク３７０が接続されているか否かが検出される。外付マイクＩ／Ｆ３５８に外付マイク３７０が接続されていない場合、外付マイク３７０の使用中でないと判断される（Ｓ３：ＮＯ）。この場合、内蔵マイク３６０で自拠点の音声が収音されるから、内蔵マイク３６０に対応する出力レベルの範囲内（つまり、通常領域内）で、スピーカ３５０のボリューム調整が実行される（Ｓ５）。具体的には、ユーザが入力部３１６を操作して、通常領域に含まれる出力レベル「０」〜「８」のいずれかを指定すると、指定された出力レベルがスピーカ３５０の出力レベルに設定される。つまり、ＲＡＭ３１３に設定されている出力レベルが、指定された出力レベルに更新される。
【００４６】
一方、外付マイクＩ／Ｆ３５８に外付マイク３７０が接続されている場合、外付マイクの使用中であると判断される（Ｓ３：ＹＥＳ）。この場合、後述の外付マイク用処理が実行されて、スピーカ３５０の出力レベルが設定される（Ｓ７）。ステップＳ５またはＳ７の実行後、ボリューム調整処理は終了される。以降に実行されるテレビ会議では、ステップＳ５またはＳ７で設定された出力レベル（つまり、ＲＡＭ３１３に設定されている出力レベル）で、スピーカ３５０から他拠点の音声が出力される。
【００４７】
図７に示すように、外付マイク用処理（Ｓ７）では、ＲＡＭ３１３に設定されている現在の出力レベル（以下、レベルｎ）が取得される（Ｓ１１）。また、変更希望の出力レベル（以下、レベルｍ）が取得される（Ｓ１３）。具体的には、ユーザが入力部３１６を操作して、出力レベル「０」〜「１１」のいずれかを指定すると、指定された出力レベルがレベルｍとして取得される。ステップＳ１１で取得されたレベルｎと、ステップＳ１３で取得されたレベルｍとが一致するか否かが判断される（Ｓ１５）。レベルｎとレベルｍとが一致する場合（Ｓ１５：ＹＥＳ）、スピーカ３５０の出力レベルを変更する必要がないから、処理はボリューム調整処理（図６参照）に戻る。
【００４８】
レベルｎとレベルｍとが一致しない場合（Ｓ１５：ＮＯ）、スピーカ３５０の出力レベルを変更する必要がある。この場合、ステップＳ１３で取得されたレベルｍが、通常領域であるか否かが判断される（Ｓ１７）。具体的には、レベルｍが出力レベル「９」〜「１１」のいずれかである場合は、ブースト領域であると判断される（Ｓ１７：ＮＯ）。この場合、外付マイクＩ／Ｆ３５８に接続されている外付マイク３７０の特性が検出される（Ｓ１９）。本実施形態では、外付マイク３７０の特性として、指向性マイクおよび無指向性マイクのいずれであるかが検出される。
【００４９】
ステップＳ１９の実行後、外付マイク３７０の推奨位置が特定される（Ｓ２１）。具体的には、ステップＳ１３で取得されたレベルｍ、およびステップＳ１９で検出された特性（指向性マイクまたは無指向性マイク）に対応する推奨距離が、マイク位置調整テーブル２００（図５参照）に基づいて特定される。さらに、スピーカ３５０から推奨距離だけ水平方向に離間した位置が、外付マイク３７０の推奨位置として特定される。本実施形態では、会議端末３の前面側中心をスピーカ３５０の位置として擬製されて、会議端末３の前面側中心を基準に推奨位置が特定されるものとする。ステップＳ２１の実行後、後述のマイク位置調整処理が実行されて（Ｓ２３）、処理はボリューム調整処理（図６参照）に戻る。
【００５０】
レベルｍが出力レベル「０」〜「８」のいずれかである場合は、通常領域であると判断される（Ｓ１７：ＹＥＳ）。ここで、外付マイク３７０は、その設置位置や設置向きによっては、自拠点の音声を適正に収音できない場合がある。一方、内蔵マイク３６０は、カメラ３４４の撮影方向から収音できるように配置された指向性マイクであるため、自拠点の音声を適正に収音可能である。よって、出力レベルが通常領域である場合には、外付マイク３７０よりも内蔵マイク３６０のほうが、自拠点の収音に適している。
【００５１】
そこで、レベルｍが通常領域である場合は、使用マイクが内蔵マイクに切り替えられる（Ｓ２５）。具体的には、外付マイクＩ／Ｆ３５８に接続されている外付マイク３７０を無効にする一方、内蔵マイク３６０を有効にする。ステップＳ２５の実行後、マイク切り替えが報知される（Ｓ２７）。具体的には、自拠点を収音するマイクが内蔵マイク３６０に切り替えられたことを示す警告文字が、ディスプレイ３１９に表示される。これにより、ユーザは、会議端末３に外付マイク３７０を接続したにもかかわらず、内蔵マイク３６０で自拠点の音声が収音されることを認識できる。ステップＳ２７の実行後、スピーカ３５０のボリュームが、ステップＳ１３で取得されたレベルｍに設定される（Ｓ２９）。つまり、ＲＡＭ３１３に設定されている出力レベルが、レベルｍに更新される。ステップＳ２９の実行後、処理はボリューム調整処理（図６参照）に戻る。
【００５２】
図８に示すように、マイク位置調整処理（Ｓ２３）では、カメラ３４４の撮影角度が調整用角度に変更される（Ｓ３１）。具体的には、モータ制御部３７１がチルトモータ３７２を駆動することで、ステップＳ２１で特定された推奨位置が撮影範囲の中心寄りとなる調整用角度に、カメラ３４４の撮影角度が調整される。このとき、カメラ３４４によって撮影される画像データ上で推奨位置を特定する必要があるが、この推奨位置の特定は公知の画像処理技術を用いればよい。
【００５３】
ステップＳ３１の実行後、ユーザに外付マイク３７０を推奨位置に設置させるための画面（マイク調整画面１１０）が生成および表示される（Ｓ３３）。具体的には、カメラ３４４によって撮影された画像データに、推奨距離に基づいて特定された推奨位置を重ねて表示した画像が生成されて、マイク調整画面１１０としてディスプレイ３１９に表示される。
【００５４】
図９に例示するマイク調整画面１１０では、カメラ３４４によって撮影された画像データに、推奨位置１１１、推奨向き１１２、指示表示１１３等が重ねて表示されている。図９の例では、ステップＳ２１で特定された推奨位置が、自拠点のユーザよりも会議端末３に近い位置であるため、調整用角度に調整されたカメラ３４４の撮影角度は、会議用角度よりも下向きとなっている。その結果、カメラ３４４の撮影範囲が、テレビ会議の実行時に他拠点で映し出される会議画面１００よりも会議端末３側に近づいて、マイク調整画面１１０には会議端末３のやや前方側が映し出される。さらに、マイク調整画面１１０には、カメラ３４４の撮影範囲の中心寄りに、推奨位置１１１が含まれている。
【００５５】
推奨位置１１１は、会議端末３から推奨距離だけ離間した位置を描画する円弧状の点線によって、外付マイク３７０の好適な設置位置を示す。推奨向き１１２は、カメラ３４４の撮影方向と等しくなるような収音方向を指示する矢印によって、外付マイク３７０の好適な設置向きを示す。指示表示１１３は、ユーザに外付マイク３７０の設置を指示する表示である。
【００５６】
ここで、理論上は、外付マイク３７０がスピーカ３５０から遠ざかるほど、スピーカ３５０の音声が外付マイク３７０で収音されるときの収音量が小さくなり、ひいてはエコーの除去率が高まって音質が高まる。しかしながら、本実施形態では、外付マイク３７０の収音量が処理基準値以下となる最短距離だけスピーカ３５０から離れた位置を、推奨位置１１１に特定している。つまり、外付マイク３７０の収音量が処理基準値以下となる範囲内で会議端末３に最も近い位置を、推奨位置１１１に特定している。これは、外付マイク３７０がスピーカ３５０から遠ざかりすぎると、自拠点の音声を適正に収音できないおそれがあるからである。言い換えると、自拠点の音声を適正に収音するためには、外付マイク３７０が会議端末３から近い位置に設置されるのが好適なためである。
【００５７】
ステップＳ３３の実行後、マイク調整画面１１０が示す推奨位置１１１に、外付マイク３７０が設置されたか否かが判断される（Ｓ３５）。具体的には、カメラ３４４によって映し出される画像データが解析されて、外付マイク３７０が画像認識される。画像認識された外付マイク３７０が推奨位置１１１と画像上で重複する場合、外付マイク３７０が推奨位置１１１に設置されたと判断される（Ｓ３５：ＹＥＳ）。この場合、推奨位置１１１への設置完了が報知される（Ｓ３７）。具体的には、図１０に例示するマイク調整画面１１０のように、外付マイク３７０が推奨位置１１１に設置されたことを通知する完了表示１１４が表示される。また、推奨位置１１１および推奨向き１１２が、マイク調整画面１１０から消去される。ステップＳ３７の実行後、スピーカ３５０のボリュームが、ステップＳ１３で取得されたレベルｍに設定される（Ｓ３９）。
【００５８】
外付マイク３７０が推奨位置１１１に設置されていない場合（Ｓ３５：ＮＯ）、入力部３１６から調整終了キーが入力されたか否かが判断される（Ｓ４１）。調整終了キーが入力された場合（Ｓ４１：ＹＥＳ）、外付マイク３７０を推奨位置１１１に設置することなく、ユーザがボリューム調整の終了を指示したことを意味する。この場合、スピーカ３５０のボリュームが、ステップＳ１１で取得されたレベルｎに設定される（Ｓ４３）。つまり、スピーカ３５０のボリューム変更は行われないため、現在設定されている出力レベルがそのまま維持される。
【００５９】
ステップＳ３９またはＳ４３の実行後、モータ制御部３７１がチルトモータ３７２を駆動することで、カメラ３４４の撮影角度が会議用角度に変更される（Ｓ４５）。このとき、ディスプレイ３１９に表示される画面も、マイク調整画面１１０から通常画面（例えば、他拠点を映し出した会議画面）に切り替えられる。また、カメラ３４４の撮影角度が会議用角度に変更されたことで、以降のテレビ会議では、自拠点全体が適正に映し出された会議画面１００（図４参照）が他拠点で表示される。ステップＳ４５の実行後、処理は外付マイク用処理（図７参照）に戻る。
【００６０】
以上説明したように、本実施形態の会議端末３によれば、固定されたスピーカ３５０と、設置位置を調整可能な外付マイク３７０とを備えて、外付マイク３７０で収音される音声からエコーを除去可能である。スピーカ３５０の出力レベルが設定されると、その出力レベルに応じて特定された推奨位置１１１が、ディスプレイ３１９に表示される。ディスプレイ３１９に表示された推奨位置１１１に外付マイク３７０を設置することで、スピーカ３５０の音声が外付マイク３７０で収音されるときの収音量が処理基準値以下となる。このとき、エコーの除去を行った後の音質が、良好と判断される所定基準内に確保される。したがって、エコーキャンセル機能を十分発揮させるために、スピーカ３５０の出力レベルに応じて外付マイク３７０を最適な位置に調整することができる。
【００６１】
また、外付マイク３７０の収音量が処理基準値以下になる条件が外付マイク３７０の特性（例えば、指向性マイクおよび無指向性マイク）に応じて異なる場合でも、マイクの特性（例えば、指向性）を反映した推奨位置１１１に、外付マイク３７０を設置させることができる。さらに、外付マイク３７０が指向性マイクである場合には、ディスプレイ３１９に表示された推奨向き１１２に外付マイク３７０を設置させることで、外付マイク３７０を正しい収音方向に向けることができる。ひいては、外付マイク３７０で収音される音声からエコーを確実に除去して、音質をさらに向上することができる。
【００６２】
また、外付マイク３７０の位置調整時には、推奨位置１１１が表示範囲の中心寄りに重ねて表示されたマイク調整画面１１０が、ディスプレイ３１９に表示される。したがって、外付マイク３７０の位置調整時に推奨位置１１１を確実に表示することができ、ユーザが外付マイク３７０を推奨位置１１１に設置する際の利便性を高めることができる。
【００６３】
また、スピーカ３５０の出力レベルが変更されない場合には、外付マイク３７０の収音量が処理基準値を超える可能性が低いとみなして、推奨位置１１１の特定および表示が省略される（Ｓ１５：ＹＥＳ）。さらに、変更希望のレベルｍが閾値未満（つまり、通常領域）である場合には、外付マイク３７０の収音量が処理基準値を超える可能性が低いとみなして、推奨位置１１１の特定および表示が省略される（Ｓ１７：ＹＥＳ、Ｓ２５〜Ｓ２９）。つまり、外付マイク３７０の収音量が処理基準値を超える可能性が高い状態であることを条件に推奨位置１１１を特定することで、会議端末３の処理負担を軽減することができる。
【００６４】
上記実施形態において、会議端末３、４、５が、本発明の「遠隔会議装置」にそれぞれ相当する。外付マイク３７０が、本発明の「外付マイク」に相当する。内蔵マイク３６０が、本発明の「内蔵マイク」に相当する。入力部３１６が、本発明の「レベル設定手段」に相当する。エコーキャンセラ３４７が、本発明の「エコーキャンセル手段」に相当する。ステップＳ１７、Ｓ２５を実行するＣＰＵ９が、本発明の「マイク切替手段」に相当する。ステップＳ２１を実行するＣＰＵ９が、本発明の「位置特定手段」に相当する。ステップＳ３３を実行するＣＰＵ９が、本発明の「位置表示手段」に相当する。ステップＳ１９を実行するＣＰＵ９が、本発明の「特性検出手段」に相当する。ステップＳ３３を実行するＣＰＵ９が、本発明の「方向表示手段」に相当する。ステップＳ３１、Ｓ４５を実行するＣＰＵ９が、本発明の「撮影方向調整手段」に相当する。ステップＳ１５を実行するＣＰＵ９が、本発明の「変更判断手段」に相当する。
【００６５】
なお、本発明は上記実施形態に限定されるものではなく、発明の要旨を変更しない範囲での変更が可能である。上記実施形態では、会議端末３，４，５間で画像及び音声が相互に送受信されるテレビ会議に本発明が適用される場合を例示したが、会議端末間で音声が相互に送受信される遠隔会議であれば本発明を適用することができる。
【００６６】
図９に例示するマイク調整画面１１０では、円弧状の点線で推奨位置１１１が表示されているが、推奨位置１１１は他の態様で表示されてもよい。例えば、図１１に例示するマイク調整画面１１０では、推奨位置１１１を四角枠状の点線領域で示している。また、マイク調整画面１１０において、推奨位置１１１とは異なる領域（つまり、外付マイク３７０の設置を推奨できない領域）を、推奨位置１１１と視覚的に区別可能に表示してもよい。例えば、推奨位置１１１とは異なる領域を網掛け表示にすることで、ユーザは推奨位置１１１をより正確に把握することができる。
【００６７】
上記実施形態では、本発明の「会議端末」を実現するための構成を会議端末３が一体に備えているが、複数の機器で本発明の「会議端末」を実現するための構成を備えてもよい。例えば、ネットワーク２への接続機能を備えていない会議端末３を、ネットワーク２への接続機能を備えたＰＣ（図示外）にＵＳＢなどで接続する。会議端末３は、ＰＣ（図示外）を介して他の会議端末４，５と通信して、テレビ会議を実行してもよい。この場合、会議端末３およびＰＣ（図示外）が、本発明の「会議端末」に相当する。
【００６８】
上記実施形態では、あらかじめ記憶されているマイク位置調整テーブル２００に基づいて推奨距離が特定されているが、推奨距離は他の手法で特定されてもよい。例えば、推奨位置の特定（Ｓ２１）が実行される毎に、先述した数式等によって推奨距離を算出してもよい。また、上記実施形態では、外付マイク３７０の特性（指向性マイクおよび無指向性マイク）に応じた推奨距離が特定されているが、推奨距離は他の要素に基づいて特定されてもよい。例えば、外付マイク３７０の特性に含まれる他の要素（例えば、外付マイク３７０の収音性能など）に応じて推奨距離が特定されてもよいし、外付マイク３７０の特性以外の要素（例えば、会議端末３の設置環境など）に応じて推奨距離が特定されてもよい。さらに、エコーキャンセラ３４７の処理基準値は、エコーキャンセラ３４７のノイズ除去性能や、ノイズ除去後に要求される音質などに応じて変更可能である。
【００６９】
上記実施形態では、スピーカ３５０は会議端末３に内蔵されているが、スピーカ３５０は設置位置を調整可能な外付スピーカであってもよい。上記実施形態では、推奨位置１１１および推奨向き１１２がディスプレイ３１９で表示されているが、推奨位置１１１および推奨向き１１２が他の手法で報知されてもよい。例えば、推奨位置１１１および推奨向き１１２に基づいて、「外付マイク３７０をスピーカ３５０から○×ｃｍ離して設置してください。外付マイク３７０を会議端末３の正面側に向けてください。」という音声案内を、スピーカ３５０から出力してもよい。
【符号の説明】
【００７０】
１    テレビ会議システム
２    ネットワーク
３，４，５    会議端末
１１０    マイク調整画面
１１１    推奨位置
１１２    推奨向き
２００    マイク位置調整テーブル
３１１    ＣＰＵ
３１２    ＲＯＭ
３１６    入力部
３１９    ディスプレイ
３４４    カメラ
３４７    エコーキャンセラ
３５０    スピーカ
３６０    内蔵マイク
３７０    外付マイク
３７１    モータ制御部
３７２    チルトモータ
【図１】
0005556719.tif 000002
【図２】
0005556719.tif 000003
【図３】
0005556719.tif 000004
【図４】
0005556719.tif 000005
【図５】
0005556719.tif 000006
【図６】
0005556719.tif 000007
【図７】
0005556719.tif 000008
【図８】
0005556719.tif 000009
【図９】
0005556719.tif 000010
【図１０】
0005556719.tif 000011
【図１１】
0005556719.tif 000012